(57)【要約】【課題】家庭電気製品を収納した状態で使用できるようにした家庭電気製品収納庫において、家庭電気製品収納部の家庭電気製品に使用される電力が所定の値を超過した場合家庭電気製品への給電を停止し、各給電手段の定格を満足できるようにする。【解決手段】キャビネット内の家庭電気製品収納部に家庭電気製品へ給電する第１の給電手段３と第２の給電手段４を設け、第１の給電手段３と第２の給電手段４に流れる電流を電流検知手段８により検知し、検知した電流に応じて第１の電源制御手段１０と第２の電源制御手段１１により第１の給電手段３と第２の給電手段４を入り切りする。制御手段１５は、第１の給電手段３と第２の給電手段４に流れる電流が所定の値を超過した場合、第１の給電手段３への給電を停止し、それでも第２の給電手段４に流れる電流が所定の値を超過している場合、第２の給電手段４への給電を停止するよう構成する。【選択図】図１
2008061730.tif 000002
【特許請求の範囲】
【請求項１】
キャビネットと、このキャビネット内に設け家庭電気製品を収納する家庭電気製品収納部と、この家庭電気製品収納部に設け家庭電気製品へ給電する複数の給電手段と、前記キャビネットを制御する制御手段と、前記複数の給電手段に流れる電流を検知する電流検知手段と、検知した電流に応じて前記給電手段を入り切りする電源制御手段とを備え、前記制御手段は、前記給電手段に流れる電流が所定の値を超過した場合、前記複数の給電手段の内少なくとも１つの給電手段への給電を停止し、それでも給電手段に流れる電流が所定の値を超過している場合、残りの給電手段への給電を停止するよう構成した家庭電気製品収納庫。
【請求項２】
経過時間を計時する計時手段を備え、制御手段は、給電手段に流れる電流が所定の値を超過した場合、複数の給電手段の内少なくとも１つの給電手段への給電を停止し、それでも給電手段に流れる電流が所定の値を超過している場合、所定の時間を経過した後に残りの給電手段への給電を停止するようにした請求項１記載の家庭電気製品収納庫。
【請求項３】
制御手段は、給電手段に流れる電流が所定の値を超過した場合、複数の給電手段の内少なくとも１つの給電手段への給電を停止し、それでも給電手段に流れる電流が所定の低い入力値である第１の入力値を超え所定の高い入力値である第２の入力値以下である場合、所定の時間経過後に残りの給電手段への給電を停止し、給電手段に流れる電流が所定の高い入力値である第２の入力値を超える場合、すぐに残りの給電手段への給電を停止するようにした請求項２記載の家庭電気製品収納庫。
【請求項４】
家庭電気製品収納庫の状態を表示する表示手段を備え、制御手段は、複数の給電手段の内少なくとも１つの給電手段への給電を停止し、それでも給電手段に流れる電流が所定の値を超過していたため、残りの給電手段への給電を停止したことを表示手段に表示するようにした請求項１〜３のいずれか１項に記載の家庭電気製品収納庫。
【請求項５】
家庭電気製品収納庫の状態を報知する報知手段を備え、制御手段は、複数の給電手段の内少なくとも１つの給電手段への給電を停止し、それでも給電手段に流れる電流が所定の値を超過していたため、残りの給電手段への給電を停止したことを報知手段により報知するようにした請求項１〜４のいずれか１項に記載の家庭電気製品収納庫。
【発明の詳細な説明】
【技術分野】
【０００１】
本発明は、家庭電気製品を収納した状態で使用できるようにした家庭電気製品収納庫に関するものである。
【背景技術】
【０００２】
従来、この種の家庭電気製品収納庫は、キャビネット内に、収納する家庭電気製品に電力を供給するコンセント（給電手段）を備え、所定の電流値を越えると２個のコンセントの片側を遮断する構成になっていた（例えば、特許文献１参照）。
【特許文献１】特公平１１−２５３２５１号公報
【発明の開示】
【発明が解決しようとする課題】
【０００３】
このような従来の構成では、遮断しないコンセントに２個以上の家庭電気製品が接続され同時に使用された場合、そのコンセントの定格を超えた使用を継続してしまい、所定の電流値を越えた使用に対して、コンセントを保護するという目的を達しえない場合があるという問題を有していた。
【０００４】
本発明は上記従来の課題を解決するもので、キャビネット内に収納した家庭電気製品に使用される電力が所定の値を超過した場合家庭電気製品への給電を停止し、それでも電力が所定の値を超過した場合、残りの給電手段への給電を停止して、家庭電気製品収納庫の各給電手段の定格を満足できるようにすることを目的としている。
【課題を解決するための手段】
【０００５】
本発明は上記目的を達成するために、キャビネット内に家庭電気製品を収納する家庭電気製品収納部を設け、この家庭電気製品収納部に家庭電気製品へ給電する複数の給電手段を設け、キャビネットを制御手段により制御し、複数の給電手段に流れる電流を電流検知手段により検知し、検知した電流に応じて電源制御手段により給電手段を入り切りするよう構成し、制御手段は、給電手段に流れる電流が所定の値を超過した場合、複数の給電手段の内少なくとも１つの給電手段への給電を停止し、それでも給電手段に流れる電流が所定の値を超過している場合、残りの給電手段への給電を停止するよう構成したものである。
【０００６】
これにより、キャビネット内に収納した家庭電気製品に使用される電力が所定の値を超過した場合家庭電気製品への給電を停止し、それでも電力が所定の値を超過した場合、残りの給電手段への給電を停止することで、家庭電気製品収納庫の各給電手段の定格を満足することができる。
【発明の効果】
【０００７】
本発明の家庭電気製品収納庫は、キャビネット内に収納した家庭電気製品に使用される電力が所定の値を超過した場合家庭電気製品への給電を停止し、それでも電力が所定の値を超過した場合、残りの給電手段への給電を停止することにより、家庭電気製品収納庫の各給電手段の定格を満足することができる。
【発明を実施するための最良の形態】
【０００８】
第１の発明は、キャビネットと、このキャビネット内に設け家庭電気製品を収納する家庭電気製品収納部と、この家庭電気製品収納部に設け家庭電気製品へ給電する複数の給電手段と、前記キャビネットを制御する制御手段と、前記複数の給電手段に流れる電流を検知する電流検知手段と、検知した電流に応じて前記給電手段を入り切りする電源制御手段とを備え、前記制御手段は、前記給電手段に流れる電流が所定の値を超過した場合、前記複数の給電手段の内少なくとも１つの給電手段への給電を停止し、それでも給電手段に流れる電流が所定の値を超過している場合、残りの給電手段への給電を停止するよう構成したものであり、キャビネット内に収納した家庭電気製品に使用される電力が所定の値を超過した場合、複数の給電手段の内少なくとも１つの給電手段への給電を停止して家庭電気製品への給電を停止し、それでも電力が所定の値を超過した場合、残りの給電手段への給電を停止することで、家庭電気製品収納庫の各給電手段の定格を満足することができる。
【０００９】
第２の発明は、上記第１の発明において、経過時間を計時する計時手段を備え、制御手段は、給電手段に流れる電流が所定の値を超過した場合、複数の給電手段の内少なくとも１つの給電手段への給電を停止し、それでも給電手段に流れる電流が所定の値を超過している場合、所定の時間を経過した後に残りの給電手段への給電を停止するようにしたものであり、キャビネット内に収納した家庭電気製品に使用される電力が所定の値を超過した場合、複数の給電手段の内少なくとも１つの給電手段への給電を停止して家庭電気製品への給電を停止し、それでも電力が所定の値を超過した場合、所定の時間を経過した後に残りの給電手段への給電を停止することで、瞬間的に重畳されるノイズに対する感度が鈍くなるため、商用電源に見受けられるノイズに対する耐量を上げることができる。
【００１０】
第３の発明は、上記第２の発明において、制御手段は、給電手段に流れる電流が所定の値を超過した場合、複数の給電手段の内少なくとも１つの給電手段への給電を停止し、それでも給電手段に流れる電流が所定の低い入力値である第１の入力値を超え所定の高い入力値である第２の入力値以下である場合、所定の時間経過後に残りの給電手段への給電を停止し、給電手段に流れる電流が所定の高い入力値である第２の入力値を超える場合、すぐに残りの給電手段への給電を停止するようにしたものであり、瞬間的に重畳されるノイズに対する感度を鈍くすることができ、商用電源に見受けられるノイズに対する耐量を上げるとともに、定格を大きく逸脱した使用には給電手段およびその他機器へのダメージを最小限に抑えることができる。
【００１１】
第４の発明は、上記第１〜３のいずれか１つの発明において、家庭電気製品収納庫の状態を表示する表示手段を備え、制御手段は、複数の給電手段の内少なくとも１つの給電手段への給電を停止し、それでも給電手段に流れる電流が所定の値を超過していたため、残りの給電手段への給電を停止したことを表示手段に表示するようにしたものであり、使用者に現在家庭電気製品収納庫に収納されて使用されている家庭電気製品の組み合わせで過電流になることを知らせることができ、二股のコンセント接続を行っていないかの注意を喚起することができる。
【００１２】
第５の発明は、上記第１〜４のいずれか１つの発明において、家庭電気製品収納庫の状態を報知する報知手段を備え、制御手段は、複数の給電手段の内少なくとも１つの給電手段への給電を停止し、それでも給電手段に流れる電流が所定の値を超過していたため、残りの給電手段への給電を停止したことを報知手段により報知するようにしたものであり、使用者に現在家庭電気製品収納庫に収納されて使用されている家庭電気製品の組み合わせで過電流になることを音、音声などで知らせることができ、二股のコンセント接続を行っていないかの注意を喚起することができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における家庭電気製品収納庫のブロック図を示し、図２は、同家庭電気製品収納庫の斜視図を示し、図３は、同家庭電気製品収納庫の制御手段の正面図を示すものである。
【００１５】
図２に示すように、キャビネット１は、前面が開口した家庭電気製品収納部２を有し、この家庭電気製品収納部２に家庭電気製品（図示せず）を載置して収納するように構成している。第１の給電手段（給電手段）３および第２の給電手段（給電手段）４はコンセントにより構成し、家庭電気製品を接続して給電するもので、家庭電気製品収納部２に設けている。キャビネット１にはキャビネットを制御する制御手段１５を設けている。表示手段５はキャビネット１の状態を表示するものであり、報知手段６はキャビネット１の状態を報知するものである。
【００１６】
第１の給電手段３は、図１に示すように、電流検知手段８と第１の電源制御手段（電源制御手段）１０を介して商用電源を供給する分電盤７に接続し、第２の給電手段４は、電流検知手段８と第２の電源制御手段（電源制御手段）１１を介して分電盤７に接続している。
【００１７】
制御手段１５は、経過時間を計時する計時手段１２を有し、第１の給電手段３および第２の給電手段４に流れる電流が所定の値を超過した場合、第１の給電手段３と第２の給電手段４の内少なくとも１つの給電手段への給電を停止し、それでもなお第１の給電手段３および第２の給電手段４に流れる電流が所定の値を超過した場合、すべての給電手段への給電を停止するよう構成している。
【００１８】
上記構成において動作、作用を説明する。第１の給電手段３と第２の給電手段４の合計電流は１５Ａまでである場合、１０Ａの炊飯器の炊飯と１０Ａのジャーポットの湯沸しが同時に行われると、第１の給電手段３と第２の給電手段４の合計電流の定格を超えることとなる。そこで、制御手段１５は、電流検知手段８により検知した電流に基づいて第１の電源制御手段１０または第２の電源制御手段１１を制御し、片側の通電を停止することで、第１の給電手段３と第２の給電手段４の合計電流の定格を超えないよう制御しようとする。
【００１９】
しかしながら、例えば、第２の給電手段４に炊飯器とジャーポットの双方が接続されている場合、第１の給電手段３への給電を停止してもその機能を満足しないことになる。
【００２０】
そこで、第１の給電手段３と第２の給電手段４の合計電流が定格を超えた場合、第１の給電手段３の給電を停止するが、それでもなお第１の給電手段３と第２の給電手段４の合計電流が定格を超えた場合、第２の給電手段４への給電も停止する。
【００２１】
これにより、家庭電気製品収納庫の過電流を保護し、分電盤７による給電停止に伴う煩わしさを防止することができる。
【００２２】
また、図３に示すように、ＬＣＤなどの表示手段５にコンセント（第２の給電手段４）の定格を超えた使用が行われたことと、１つのコンセント（第２の給電手段４）で２つの機器を使用したりしていないかを表示し、また、音声などの報知手段６によりコンセント定格を超えた使用が行われたことと、１つのコンセントで２つの機器を使用したりしていないかを報知することで、使用者はそのことを認識でき、これにより、家庭電気製品収納部２内に収納される家庭電気製品が停止していることについての理由を認識することができるため、不安、疑問を抱くことがない。また、表示手段５に給電停止を表示し、報知手段６により給電停止を報知することで、使用者に現在家庭電気製品収納部２に収納されて使用されている家庭電気製品の使用方法は過電流になることを知らせることができる。
【００２３】
以上のように、本実施の形態においては、制御手段１５は、第１の給電手段３と第２の給電手段４に流れる電流が所定の値を超過した場合、第１の給電手段３への給電を停止し、それでも第２の給電手段４に流れる電流が所定の値を超過している場合、第２の給電手段４への給電を停止するよう構成したので、キャビネット１内に収納した家庭電気製品に使用される電力が所定の値を超過した場合、複数の給電手段の内少なくとも１つの給電手段への給電を停止して家庭電気製品への給電を停止し、それでも電力が所定の値を超過した場合、残りの給電手段への給電を停止することで、家庭電気製品収納庫の各給電手段の定格を満足することができ、家庭電気製品収納庫の過電流を保護し、分電盤７による給電停止に伴う煩わしさを防止することができる。
【００２４】
また、制御手段１５は、複数の給電手段の内少なくとも１つの給電手段への給電を停止し、それでも給電手段に流れる電流が所定の値を超過していたため、残りの給電手段への給電を停止したことを表示手段５に表示するようにしたので、使用者に現在家庭電気製品収納庫に収納されて使用されている家庭電気製品の組み合わせで過電流になることを知らせることができ、二股のコンセント接続を行っていないかの注意を喚起することができる。
【００２５】
また、制御手段１５は、複数の給電手段の内少なくとも１つの給電手段への給電を停止し、それでも給電手段に流れる電流が所定の値を超過していたため、残りの給電手段への給電を停止したことを報知手段６により報知するようにしたので、使用者に現在家庭電気製品収納庫に収納されて使用されている家庭電気製品の組み合わせで過電流になることを音、音声などで知らせることができ、二股のコンセント接続を行っていないかの注意を喚起することができる。
【００２６】
（実施の形態２）
図１に示す制御手段１５は、第１の給電手段３と第２の給電手段４の合計電流が定格（所定の値）を超えた場合、第１の給電手段３の給電を停止し、それでもなお第１の給電手段３と第２の給電手段４の合計電流が定格を超える場合、計時手段１２により所定の時間、例えば１秒、その状態が継続された場合に第２の給電手段４への給電も停止するようにしている。他の構成は上記実施の形態１と同じである。
【００２７】
上記構成において動作、作用を説明する。第１の給電手段３と第２の給電手段４の合計電流が定格を超えた場合、第１の給電手段３の給電を停止し、それでもなお第１の給電手段３と第２の給電手段４の合計電流が定格を超えた場合、計時手段１２により所定の時間、例えば１秒、その状態が継続された場合に第２の給電手段４への給電も停止することで、瞬間的に重畳されるノイズに対する感度が鈍くなるため、商用電源に見受けられるノイズに対する耐量を上げることができる。
【００２８】
以上のように、本実施の形態においては、制御手段１５は、第１の給電手段３と第２の給電手段４の合計電流が定格（所定の値）を超えた場合、第１の給電手段３の給電を停止し、それでもなお第１の給電手段３と第２の給電手段４の合計電流が定格を超える場合、計時手段１２により所定の時間その状態が継続された場合に第２の給電手段４への給電も停止するようにしたので、瞬間的に重畳されるノイズに対する感度が鈍くなるため、商用電源に見受けられるノイズに対する耐量を上げることができる。
【００２９】
（実施の形態３）
図１に示す制御手段１５は、第１の給電手段３と第２の給電手段４の合計電流が定格（所定の値）を超えた場合、第１の給電手段３の給電を停止し、それでもなお第１の給電手段３と第２の給電手段４の合計電流が所定の低い入力値である第１の入力値を超え所定の高い入力値である第２の入力値以下である場合、所定の時間、例えば１秒、その状態が継続された場合に第２の給電手段４への給電も停止し、それでもなお第１の給電手段３と第２の給電手段４の合計電流が、２５Ａ以上のように定格を大きく超えた場合（所定の高い入力値である第２の入力値を超える場合）、第２の給電手段４への給電を即時停止するようにしている。他の構成は上記実施の形態１と同じである。
【００３０】
上記構成において動作、作用を説明する。第１の給電手段３と第２の給電手段４の合計電流が定格を超えた場合、第１の給電手段３の給電を停止し、それでもなお第１の給電手段３と第２の給電手段４の合計電流が定格を超えた場合、計時手段１２により一定時間、例えば１秒、その状態が継続された場合に第２の給電手段４への給電も停止する。一方、第１の給電手段３と第２の給電手段４の合計電流が定格を超えた場合、第１の給電手段３の給電を停止し、それでもなお第１の給電手段３と第２の給電手段４の合計電流が、２５Ａ以上のように定格を大きく超えた場合、第２の給電手段４への給電を即時停止する。これにより瞬間的に重畳されるノイズに対する感度を鈍くし、商用電源に見受けられるノイズに対する耐量を上げると共に、定格を大きく逸脱した使用にはコンセント（給電手段）およびその他機器へのダメージを最小限に抑えることができる。
【００３１】
以上のように、本実施の形態においては、制御手段１５は、第１の給電手段３と第２の給電手段４の合計電流が定格（所定の値）を超えた場合、第１の給電手段３の給電を停止し、それでもなお第１の給電手段３と第２の給電手段４の合計電流が所定の低い入力値である第１の入力値を超え所定の高い入力値である第２の入力値以下である場合、所定の時間、例えば１秒、その状態が継続された場合に第２の給電手段４への給電も停止し、それでもなお第１の給電手段３と第２の給電手段４の合計電流が、２５Ａ以上のように所定の高い入力値である第２の入力値を超える場合、第２の給電手段４への給電を即時停止するようにしているので、瞬間的に重畳されるノイズに対する感度を鈍くすることができ、商用電源に見受けられるノイズに対する耐量を上げるとともに、定格を大きく逸脱した使用にはコンセント（給電手段）およびその他機器へのダメージを最小限に抑えることができる。
【産業上の利用可能性】
【００３２】
以上のように、本発明にかかる家庭電気製品収納庫は、キャビネット内に収納した家庭電気製品に使用される電力が所定の値を超過した場合家庭電気製品への給電を停止し、それでも電力が所定の値を超過した場合、残りの給電手段への給電を停止することにより、家庭電気製品収納庫の各給電手段の定格を満足することができるので、家庭電気製品を収納した状態で使用できるようにした家庭電気製品収納庫として有用である。
【図面の簡単な説明】
【００３３】
【図１】本発明の実施の形態１における家庭電気製品収納庫のブロック図
【図２】同家庭電気製品収納庫の斜視図
【図３】同家庭電気製品収納庫の制御手段の正面図
【符号の説明】
【００３４】
１  キャビネット
２  家庭電気製品収納部
３  第１の給電手段（給電手段）
４  第２の給電手段（給電手段）
８  電流検知手段
１０  第１の電源制御手段（電源制御手段）
１１  第２の電源制御手段（電源制御手段）
１５  制御手段
【図１】
2008061730.tif 000003
【図２】
2008061730.tif 000004
【図３】
2008061730.tif 000005